(57)【特許請求の範囲】
【請求項１】
タッチスクリーンが備えられた移動通信端末機の上記タッチスクリーンが、外部に露出されるように上記移動通信端末機の外面に設けられる本体部と、
上記タッチスクリーンに、表示される内容を入力する電子ペンと、上記本体部に設けられ、上記電子ペン先の位置を測定する位置測定手段とからなる位置測定部と、
上記位置測定部より測定された上記電子ペン先の位置情報を上記移動通信端末機に伝送する通信部と、
を含むことを特徴とする移動通信端末機ケース。
【請求項２】
上記電子ペンには、基準信号を発信する基準信号発信部と、超音波信号を発信する超音波発信部とが設けられ、
上記位置測定手段は、上記基準信号発信部から発信された基準信号を受信する基準信号受信部と、上記超音波発信部から発信された超音波信号を受信する複数の超音波受信部とを含むことを特徴とする請求項１に記載の移動通信端末機ケース。
【請求項３】
上記複数の超音波受信部は、上記基準信号受信部を基準にして、両側にそれぞれ配置された第１超音波受信部と、第２超音波受信部とで構成されることを特徴とする請求項２に記載の移動通信端末機ケース。
【請求項４】
上記第１超音波受信部、上記基準信号受信部及び第２超音波受信部は、上記本体部の外周面に配置されたことを特徴とする請求項３に記載の移動通信端末機ケース。
【請求項５】
上記通信部は、有線又は無線通信方式により、上記移動通信端末機と通信が行われることを特徴とする請求項１に記載の移動通信端末機ケース。
【請求項６】
上記本体部の上部には、上記移動通信端末機の上端を覆うように設けられる折曲面が形成され、上記本体部の下部には、上記移動通信端末機の下端が挿入される挿入溝が形成された挿入部が設けられたことを特徴とする請求項１〜５のいずれか１項に記載の移動通信端末機ケース。
【請求項７】
上記本体部内部には、別途の電池が設けられ、
上記電池は、上記移動通信端末機側に充填電流を供給して、上記移動通信端末機を充電することを特徴とする請求項６に記載の移動通信端末機ケース。
【請求項８】
上記本体部の内部には、別途の電池が設けられ、
上記本体部の一側には、上記電池の電源が選択的に移動通信端末機側に供給されるようにする別途の電源選択機能が設けられたことを特徴とする請求項６に記載の移動通信端末機ケース。
【請求項９】
上記挿入溝の内部一側には、上記移動通信端末機の外部端子と接触される充填端子が設けられ、上記電池と上記移動通信端末機内部の電池は相互充填可能であることを特徴とする請求項８に記載の移動通信端末機ケース。
【請求項１０】
上記折曲面には、上記移動通信端末機のイヤホン挿入口及びアンテナが外部に露出されるようにするイヤホン孔及びアンテナ孔が、それぞれ貫通形成されたことを特徴とする請求項６に記載の移動通信端末機ケース。
【請求項１１】
上記挿入部の前面には、上記移動通信端末機のマイクが外部に露出されるようにするマイク孔が貫通形成されたことを特徴とする請求項６に記載の移動通信端末機ケース。
【請求項１２】
タッチスクリーンが備えられたタブレット型パソコンの上記タッチスクリーンが外部に露出されるように上記タブレット型パソコンの外面に設けられる本体部と、
基準信号を発信する基準信号発信部と、超音波信号を発信する超音波発信部とが設けられ、上記タッチスクリーンに表示される内容を入力する電子ペンと、上記本体部の一側に上記タッチスクリーンの前面に向かうように突出されるように設けられ、上記基準信号発信部から発信された基準信号を受信する基準信号受信部と、上記超音波発信部から発信された超音波信号を受信する複数の超音波受信部とを含むように構成され、上記電子ペン先の位置を測定する位置測定手段からなる位置測定部と、
上記位置測定部より測定された上記電子ペン先の位置情報を上記タブレット型パソコン側に伝送する通信部と、
を含むことを特徴とするタブレット型パソコンケース。
【請求項１３】
上記複数の超音波受信部は、上記基準信号受信部を基準にして、両側にそれぞれ配置された第１超音波受信部と、第２超音波受信部とで構成されることを特徴とする請求項１２に記載のタブレット型パソコンケース。
【請求項１４】
上記第１超音波受信部、上記基準信号受信部及び第２超音波受信部は、上記本体部の外面に配置されたことを特徴とする請求項１３に記載のタブレット型パソコンケース。
【請求項１５】
上記通信部は、有線又は無線通信方式により、上記タブレット型パソコンと通信が行われることを特徴とする請求項１２に記載のタブレット型パソコンケース。
【請求項１６】
上記本体部の一側には、上記本体部と重畳及び展開可能に配置される別途のキーパッド部が更に設けられたことを特徴とする請求項１２〜１５のいずれか１項に記載のタブレット型パソコンケース。
【請求項１７】
上記キーパッド部は、上記本体部の一側に脱着自在に設けられたことを特徴とする請求項１６に記載のタブレット型パソコンケース。
【請求項１８】
上記本体部の背面には、ベース面に対して上記タブレット型パソコンを斜めに配置することができる支持脚が設けられたことを特徴とする請求項１７に記載のタブレット型パソコンケース。
【発明の詳細な説明】
【技術分野】
【０００１】
本発明は、移動通信端末機ケース及びタブレット型パソコンケースに関し、より詳しくは、電子ペン先の位置を正確に測定しうる移動通信端末機ケース及びタブレット型パソコンケースに関するものである。
【背景技術】
【０００２】
一般的なタッチスクリーン（Touch  Screen）は、表示部にタッチパッド（Touch  pad）が接着され、機能を発揮するものである。このようなタッチスクリーンは、ＰＤＡ（Personal  Digital  Assistant）に取り付けられる場合が代表的であるが、各種機器がＧＵＩ（Graphic  User  Interface）化されるにつれて、ナビゲーション（Navigation）、ＰＯＳ（Point-Of-Sale）機器、ＡＴＭ（Automatic  Teller  Machine）、ＰＭＰ（Portable  Multimedia  player）及び移動通信端末機のような電子機器に広範囲に適用されている。
【０００３】
上記タッチスクリーンの場合には、一般にユーザーの指を使って文字若しくは記号、又は絵文字などを入力する場合がほとんどであるが、正確な入力のために別途の電子ペンを使用する場合もある。
【０００４】
上記電子ペンを用いて、文字又は記号などを入力する方法は、タッチスクリーンに表示されるキーボードや記号シート等に示される文字又は記号の中から入力所望の文字又は記号が位置するタッチスクリーンの領域を電子ペンでタッチすれば、タッチスクリーン上の圧力変化又は静電気の発生を感知することにより、所望の記号や文字が画面に表示される。
【０００５】
しかし、このような従来の文字又は記号入力方式においては、そのサイズが限定されたタッチスクリーンによって、キーボードや記号シートに示される文字又は記号が稠密な間隔で配置されているので、タッチスクリーン上で電子ペンやユーザーの指が接触される位置の圧力変化又は静電気の発生有無を正確に感知することができない場合が頻繁に発生される。
【０００６】
これにより、ユーザーが望む文字又は記号が正確に入力できなくなり、製品の信頼度が低下されるだけでなく、誤動作により、文字又は記号を入力するのに長時間が必要とされるので、使用上の不便を招くという問題がある。
【発明の概要】
【発明が解決しようとする課題】
【０００７】
上記のような点を勘案して案出された本発明の目的は、タッチスクリーンが備えられた電子製品に文字又は記号を入力する際に、入力されるべき文字又は記号の位置が正確に測定されるようにし、製品の信頼度を向上させると共に、誤動作を防止して、文字又は記号を入力するのに必要とされる時間を短縮し、製品を便利に使用できるようにする移動通信端末機ケース及びタブレット型パソコンケースを提供することにある。
【課題を解決するための手段】
【０００８】
上記のような本発明の目的を達成するための移動通信端末機ケースは、タッチスクリーンが備えられた移動通信端末機の上記タッチスクリーンが、外部に露出されるように上記移動通信端末機の外面に設けられる本体部と、上記タッチスクリーンに、表示される内容を入力する電子ペンと、上記本体部に設けられ、上記電子ペン先の位置を測定する位置測定手段とからなる位置測定部と、上記位置測定部より測定された上記電子ペン先の位置情報を上記移動通信端末機に伝送する通信部と、を含むことを特徴とする。
【０００９】
ここで、上記電子ペンには、基準信号を発信する基準信号発信部と、超音波信号を発信する超音波発信部とが設けられ、上記位置測定手段は、上記基準信号発信部から発信された基準信号を受信する基準信号受信部と、上記超音波発信部から発信された超音波信号を受信する複数の超音波受信部とを含む。
【００１０】
また、上記複数の超音波受信部は、上記基準信号受信部を基準にして、両側にそれぞれ配置された第１超音波受信部と、第２超音波受信部とで構成される。
【００１１】
さらに、上記第１超音波受信部、上記基準信号受信部及び第２超音波受信部は、上記本体部の外周面に配置される。
【００１２】
また、上記通信部は、有線又は無線通信方式により、上記移動通信端末機と通信が行われる。
【００１３】
さらに、上記本体部の上部には、上記移動通信端末機の上端を覆うように設けられる折曲面が形成され、上記本体部の下部には、上記移動通信端末機の下端が挿入される挿入溝が形成された挿入部が設けられており、両側面は前方に一定の長さで延び、折れ曲がるように形成される。
【００１４】
また、上記本体部の内部には別途の電池が設けられ、上記本体部の一側には上記電池の電源が選択的に上記位置測定部及び通信部側に供給されるようにする別途の電源ボタンが設けられる。
【００１５】
さらに、上記挿入溝の内部一側には、上記移動通信端末機の外部端子と接触される充填端子が設けられ、上記電池と上記移動通信端末機内部の電池は相互充填できるようにしてもよい。
【００１６】
また、上記折曲面には、上記移動通信端末機のイヤホン挿入口及びアンテナが外部に露出されるようにするイヤホン孔及びアンテナ孔が、それぞれ貫通形成される。
【００１７】
さらに、上記挿入部の前面には、上記移動通信端末機のマイクが外部に露出されるようにするマイク孔が貫通形成される。
【００１８】
上記のような本発明の目的を達成するためのタブレット型パソコンケースは、タッチスクリーンが備えられたタブレット型パソコンの上記タッチスクリーンが外部に露出されるように上記タブレット型パソコンの外面に設けられる本体部と、基準信号を発信する基準信号発信部と、超音波信号を発信する超音波発信部とが設けられ、上記タッチスクリーンに表示される内容を入力する電子ペンと、上記本体部の一側に上記タッチスクリーンの前面に向かうように突出されるように設けられ、上記基準信号発信部から発信された基準信号を受信する基準信号受信部と、上記超音波発信部から発信された超音波信号を受信する複数の超音波受信部とを含むように構成され、上記電子ペン先の位置を測定する位置測定手段からなる位置測定部と、上記位置測定部より測定された上記電子ペン先の位置情報を上記タブレット型パソコン側に伝送する通信部と、を含むことを特徴とする。
【００１９】
ここで、上記複数の超音波受信部は、上記基準信号受信部を基準にして、両側にそれぞれ配置された第１超音波受信部と、第２超音波受信部とで構成される。
【００２０】
また、上記第１超音波受信部、上記基準信号受信部及び第２超音波受信部は、上記本体部の一側に配置されるか、又は他側に同じ離隔距離で配置される。
【００２１】
さらに、上記通信部は、有線又は無線通信方式により、上記タブレット型パソコンと通信が行われる。
【００２２】
また、上記本体部の一側には、上記本体部と重畳及び展開可能に配置される別途のキーパッド部が更に設けられる。
【００２３】
さらに、上記本体部の背面には、ベース面に対して上記タブレット型パソコンを斜めに配置することができる支持脚が設けられる。
【発明の効果】
【００２４】
以上のように、本発明に係る移動通信端末機ケース及びタブレット型パソコンケースは、タッチスクリーンが備えられた電子製品に文字又は記号を入力する際に、入力されるべき文字又は記号の位置が正確に測定されるようにして、製品の信頼度を向上させると共に、誤動作を防止して、文字又は記号を入力するのに必要とされる時間を短縮し、製品を便利に使用できるようにする効果を奏する。
【図面の簡単な説明】
【００２５】
【図１】本発明に使用される位置測定原理を概略的に示した概略図である。
【図２】本発明の一実施例に係る移動通信端末機ケースと移動通信端末機が分離された構造を示した斜視図である。
【図３】図２の移動通信端末機ケースの背面の構造を示した斜視図である。
【図４】本発明の別の実施例に係るタブレット型パソコンケースとタブレット型パソコンが分離された構造を示した斜視図である。
【図５】図４のタブレット型パソコンケースにタブレット型パソコンが結合された構造を示した斜視図である。
【図６】本発明に係る電子ペンの構造を示した平面図である。
【図７】本発明に係る移動通信端末機ケース及びタブレット型パソコンケースの電気的な連結構造を示したブロック図である。
【発明を実施するための形態】
【００２６】
以下、本発明の一実施例に係る移動通信端末機ケースを添付された図面を参照して、詳細に説明する。
【００２７】
図１は、本発明に使われる位置測定原理を概略的に示した概略図であり、図２は本発明の一実施例に係る移動通信端末機ケースと移動通信端末機が分離された構造を示した斜視図であり、図３は図２の移動通信端末機ケースの背面の構造を示した斜視図であり、図４は本発明の別の実施例に係るタブレット型パソコンケースとタブレット型パソコンが分離された構造を示した斜視図であり、図５は図４のタブレット型パソコンケースにタブレット型パソコンが結合された構造を示した斜視図であり、図６は本発明に係る電子ペンの構造を示した平面図であり、図７は本発明に係る移動通信端末機ケース及びタブレット型パソコンケースの電気的な連結構造を示したブロック図である。
【００２８】
上記図に示されるように、本発明の一実施例に係る移動通信端末機ケースは、タッチスクリーン１１が設けられた電子製品１０のタッチスクリーン１１が外部に露出されるように移動通信端末機１０の外面に設けられる本体部１００、タッチスクリーン１１に表示される内容を入力する電子ペン２１０と本体部１００に設けられ、電子ペン２１０端部の位置を測定する位置測定手段２２０とからなる位置測定部２００と、位置測定部２００より測定された電子ペン２１０端部の位置情報を移動通信端末機１０に伝送する通信部３００とを含んで構成されている。
【００２９】
まず、図１を参照して、本発明に適用される電子ペンの位置測定原理を説明する。
【００３０】
第１超音波受信部２２２ａと第２超音波受信部２２２ｂは、赤外線受信部２２１を中心にＬ／２ほど相互反対方向に位置している。即ち、第１超音波受信部２２２ａと第２超音波受信部２２２ｂ間との距離はＬになる。
【００３１】
また、電子ペン２１０と第１超音波受信部２２２ａと間の距離を‘Ｌ１’、電子ペン２１０と第２超音波受信部２２２ｂと間の距離を‘Ｌ２’とする。
【００３２】
本発明は、タッチスクリーンが備えられた電子製品１０の位置測定手段２２０によって、電子ペン２１０から受信される赤外線信号と超音波信号と間に発生する時間遅延を利用して、Ｌ１値に該当する第１距離情報とＬ２値に該当する第２距離情報が計算され、第１距離情報、第２距離情報及び既に設定されたＬ値に該当する第３距離情報を利用すれば、ピタゴラス定理によりタッチスクリーン１１又は筆記面状で電子ペン２１０端部の２次元位置を正確に測定できるようになる原理を用いたものである。
【００３３】
ここで、Ｌ１値とＬ２値を測定しうる時間遅延の基準になる基準信号は、赤外線信号又はＲＦ信号などのように光の速度で伝送される信号であれば、いずれの信号も使用可能であり、本発明の一実施例と別の実施例での基準信号は赤外線信号が使用される。
【００３４】
そして、本発明のケースが適用され得る製品は、ＰＤＡ（Personal  Digital  Assistant）、ナビゲーション（Navigation）、ＰＭＰ（Portable  Multimedia  player）及び移動通信端末機などのように、タッチスクリーン１１が備えられた製品であれば、いずれも適用可能である。
【００３５】
図２と図３には、移動通信端末機に適用される本発明の一実施例に係る移動通信端末機ケースが示されている。
【００３６】
図２と図３に図に示されるように、移動通信端末機に適用可能な本体部１００は、移動通信端末機１０の背面と側面を覆う形状で形成され、移動通信端末機１０の外面に締結される部材であり、その内部には電源を供給する電池１１０が備えられる。
【００３７】
本体部１００の上部には、移動通信端末機１０の上面を覆うように形成される折曲面１２０が設けられ、折曲面１２０の一側には、移動通信端末機１０のイヤホン端子と連通されるイヤホン孔１２１が貫通形成され、イヤホン孔１２１と近接した位置の折曲面１２０には、移動通信端末機１０のアンテナを取り出すアンテナ孔１２２が形成されている。
【００３８】
本体部１００底部面の上側中央領域には、移動通信端末機１０に備えられたカメラが外部に露出し、撮影が可能にするカメラ孔１３０が貫通形成されている。
【００３９】
本体部１００の下部には、本体部１００が移動通信端末機１０から任意に離脱されることを防止するために、移動通信端末機１０の下端一部分が挿入される挿入溝１４１を形成する挿入部１４０が設けられている。
【００４０】
挿入部１４０の一側板面には、移動通信端末機１０に備えられたマイクの全面を外部に露出するマイク孔１４２が貫通形成され、挿入部１４０のエッジ部分は折れ曲がるように形成されている。
【００４１】
本体部１００の背面一側には、電池１１０から選択的に赤外線受信部２２１と超音波受信部２２２へ電源を供給できるように電池１１０の電源供給要否を選択する電源ボタン１５０が設けられている。
【００４２】
そして、移動通信端末機１０の端部が挿入される本体部１００の挿入溝１４１の一側には、移動通信端末機１０の電池と本体部１００に搭載された電池１１０を電気的に接続し、相互充填されるようにする通路になる別途の充填端子１６０が備えられている。
【００４３】
また、本体部１００の側面を移動通信端末機１０の側面を覆うように一定の長さで折曲形成され、折曲形成された一側側面の中央領域には、本体部１００の長手方向に沿って赤外線受信部２２１と超音波受信部２２２とが一定の間隔で離隔され、順に配列されている。
【００４４】
複数の超音波受信部２２２は、赤外線受信部２２１を基準にして、両側にそれぞれ配置された第１超音波受信部２２２ａと、第２超音波受信部２２２ｂとで構成され、第１超音波受信部２２２ａから赤外線受信部２２１までの距離と第２超音波受信部２２２ｂから赤外線受信部２２１までの距離は同等に配置される。
【００４５】
即ち、第１超音波受信部２２２ａと第２超音波受信部２２２ｂと間の離隔距離を‘Ｌ’とすると、第１超音波受信部２２２ａから赤外線受信部２２１までの距離と第２超音波受信部２２２ｂから赤外線受信部２２１までの距離が‘Ｌ／２’になる位置に赤外線受信部２２１が配置されるものである。
【００４６】
ここで、赤外線受信部２２１は、第１超音波受信部２２２ａと第２超音波受信部２２２ｂと間の距離を二等分する位置に必ず配置される必要はなく、信号の受信が可能な他の位置に配置されてもよい。
【００４７】
図４と図５には、タブレット型パソコンに適用される本発明の別の実施例に係る移動通信端末機ケースが示されている。ただし、本発明の一実施例に係る移動通信端末機ケースと同じ構成については、同じ参照符号を付与し、それらに対する詳細な説明は省略する。
【００４８】
図４と図５に示されるように、タブレット型パソコン１０に適用可能な本体部１００の一側には、赤外線発信部２１１より発信された赤外線信号を受信する赤外線受信部２２１と、超音波発信部２１２より発信された超音波信号を受信する複数の超音波受信部２２２とがタッチスクリーン１１の前面に向かうように突出形成される。
【００４９】
これは、タブレット型パソコンのタッチスクリーン１１で電子ペン２１０を用いて、絵を描く等のように位置情報を入力する時、電子ペン２１０は、主にタッチスクリーン１１の全面上で移動されるので、電子ペン２１０より発生された超音波信号及び基準信号が直接受信機に受信され、電子ペン２１０先の位置を正確に認識するためである。
【００５０】
そして、本体部１００の一側には、選択的に本体部１００と重畳及び展開可能に配置され、本体部１００に対して、脱着自在の別途のキーパッド部１７０が備えられている。
【００５１】
キーパッド部１７０は、タブレット型パソコン１０で支援する画面上のキーパッドに代える役割を果たす部材であり、別途のキーパッド部１７０を用意することによって、タブレット型パソコン１０の画面全体を表示機能で利用できるようにする。
【００５２】
また、ユーザーが画面に文字又は記号を入力する時、使用に馴染んだキーが備えられたキーパッドを提供することによって、迅速に文字又は記号の入力ができるようにする役割を果たす。
【００５３】
そして、本体部１００の一側に、別途のキーパッド部１７０が備えられた場合には、タブレット型パソコン１０をノートブックと同じ形状で使用できるように本体部１００の背面一側には、タブレット型パソコン１０をベース面と一定の傾斜を有するよう配置できる別途の支持脚１８０が備えられている。
【００５４】
本体部１００前面の一面には、一定の高さで突出された形状で、本体部１００の短い辺に沿って、位置測定手段２２０の赤外線受信部２２１と超音波受信部２２２とが一定の間隔で離隔されるように配列されている。
【００５５】
一方、図６に示されるように、タッチスクリーン１１上で入力しようとする文字若しくは記号を選択するか、又は絵を描くことができる機能を有する電子ペン２１０には、赤外線信号を発信する赤外線発信部２１１と、超音波信号を発信する超音波発信部２１２と、電子ペン２１０先とタッチスクリーン１１との接触有無を感知しうる接触感知部２１３が設けられている。
【００５６】
赤外線発信部２１１と超音波発信部２１２は、電子ペン２１０端部の位置を正確に測定できるように電子ペン２１０の端部と近接した領域に配置されるのが好ましい。
【００５７】
このような赤外線発信部２１１と超音波発信部２１２は、電子ペン２１０の内部に備えられた別途の電池によって電源の供給を受けるように構成され、電池を長時間使用できるように電子ペン２１０の一側には、別途の電源ボタン（未図示）が設けられることが効果的である。
【００５８】
本体部１００に備えられる位置測定手段２２０は、本体部１００の外周面に設けられ、赤外線発信部２１１より発信された赤外線信号を受信する赤外線受信部２２１と、超音波発信部２１２より発信された超音波信号を受信する複数の超音波受信部２２２と、本体部１００の内部に設けられる位置測定処理部２２３を含んで構成されている。
【００５９】
複数の超音波受信部２２２は、赤外線受信部２２１を基準にして、両側にそれぞれ配置された第１超音波受信部２２２ａと、第２超音波受信部２２２ｂとからなり、第１超音波受信部２２２ａから赤外線受信部２２１までの距離と第２超音波受信部２２２ｂから赤外線受信部２２１までの距離は同等に配置される。
【００６０】
即ち、第１超音波受信部２２２ａと第２超音波受信部２２２ｂと間の離隔距離を‘Ｌ’とすると、第１超音波受信部２２２ａから赤外線受信部２２１までの距離と第２超音波受信部２２２ｂから赤外線受信部２２１までの距離が‘Ｌ／２’になる位置に赤外線受信部２２１が配置される。
【００６１】
本発明の一実施例の場合と同様に、赤外線受信部２２１は第１超音波受信部２２２ａと第２超音波受信部２２２ｂと間の距離を二等分する位置に必ず配置される必要はなく、信号の受信が可能な他の位置に配置されてもよい。
【００６２】
位置測定処理部２２３は、本体部１００の内部一側に設けられ、赤外線受信部２２１に基準信号である赤外線が受信された時間と、複数の超音波受信部２２２にそれぞれ超音波信号が受信された時間との差を利用して、電子ペン２１０先の位置を算出する役割を果たす。
【００６３】
通信部３００は、位置測定手段２２０により算出された電子ペン２１０先の位置情報を移動通信端末機又はタブレット型パソコンのような電子製品１０側に伝送し、移動通信端末機又はタブレット型パソコンのタッチスクリーン１１上における電子ペン２１０先の位置を把握できるようにする役割を果たす。
【００６４】
通信部３００は、移動通信端末機又はタブレット型パソコンなどのタッチスクリーン１１が備えられた電子製品１０とブルートゥース通信方式により、通信が行われることが効果的である。
【００６５】
このような構成を持つ本発明に係る移動通信端末機ケースを利用して、タッチスクリーン上で電子ペン先の位置を測定する方法は以下の通りである。
【００６６】
まず、本体部１００の電源ボタン１４０を押して、オンすると、電池１１０の電源が位置測定手段２２０である赤外線受信部２２１、第１超音波受信部２２２ａ及び第２超音波受信部２２２ｂに供給される。
【００６７】
このような状態で、電子ペン２１０を電子製品１０のタッチスクリーン１１上に位置させると、電子ペン２１０の赤外線発信部２１１と超音波発信部２１２より発信された赤外線信号と超音波信号が、それぞれ赤外線受信部２２１、第１超音波受信部２２２ａ及び第２超音波受信部２２２ｂに受信される。
【００６８】
この時、赤外線受信部２２１で赤外線信号を先に受信し、超音波信号は第１超音波受信部２２２ａと第２超音波受信部２２２ｂで、それぞれ受信され、電子ペン２１０の位置により第１超音波受信部２２２ａと第２超音波受信部２２２ｂで超音波を受信する時刻は異なってくる。
【００６９】
そして、赤外線の空気中における電波速力は３×１０８ｍ／ｓであり、超音波の空気中の速力３４０ｍ／ｓに比べて、極めて速いため、本発明では、赤外線電波時間は無視し、赤外線受信と送信が同時に発生するものとみなす。
【００７０】
従って、既設定された第１超音波受信部２２２ａと第２超音波受信部２２２ｂと間の距離と、電子ペン２１０先と第１超音波受信部２２２ａと間の距離、及び電子ペン２１０先と第２超音波受信部２２２ｂと間の距離が測定されるので、タッチスクリーン１１上で電子ペン２１０先の位置が把握されることになる。このような電子ペン２１０先の位置はピタゴラス定理を用いて、位置測定処理部２２３により算出される。
【００７１】
測定された電子ペン２１０先の位置は、通信部３００により、電子製品１０側に提供される。この状態で電子ペン２１０をタッチスクリーン１１にタッチすれば、その位置の文字又は記号が正確に選択されるので、誤作動を防止し、製品の信頼度を高め、文字又は記号を入力するのに必要とされる時間が短縮される。
【００７２】
そして、電子製品が移動通信端末機である場合に、電子ペン２１０を用いて、絵を描くためには、サイズの小さい移動通信端末機のタッチスクリーン２１０上で電子ペン２１０を移動させて絵を描かず、移動通信端末機一側の筆記面で電子ペン２１０を移動させれば上述した過程と同じ方法によって、電子ペン２１０先の位置が測定されるので、細かく絵が描けるようになる。
【００７３】
以上は、本発明により具現される好ましい実施例の一部について説明したものに過ぎなく、周知のように、本発明の範囲は、上記実施例に限定され、解釈されるものではない。上述された本発明の技術的思想とその根本を共にする技術的思想はいずれも本発明の範囲に含まれる。
【図１】
0005785332.tif 000002
【図２】
0005785332.tif 000003
【図３】
0005785332.tif 000004
【図４】
0005785332.tif 000005
【図５】
0005785332.tif 000006
【図６】
0005785332.tif 000007
【図７】
0005785332.tif 000008